(57)【特許請求の範囲】
【請求項１】
５本胴式印刷ユニットを備えた輪転印刷機であって、それぞれ版胴（０３；０４）および転写胴（０６；０７）を有している２つの胴対と、位置変化可能な１つの対抗圧胴（１１）とが設けられており、該対抗圧胴（１１）が第１の位置（Ａ）で、前記転写胴（０６；０７）の回転軸線（１９；２１）を結ぶ接続ライン（２２）の片側に配置されている形式のものにおいて、
前記対抗圧胴（１１）が、前記転写胴（０６；０７）の前記回転軸線（１９；２１）を結ぶ前記接続ライン（２２）に対して前記第１の位置（Ａ）とは反対側に移動可能であることを特徴とする、輪転印刷機。
【請求項２】
少なくとも２つの５本胴式印刷ユニット（０１；０２）が水平方向で互いに接触可能に配置されている、請求項１記載の輪転印刷機。
【請求項３】
５本胴式印刷ユニット（０１；０２）のうちの少なくとも１つが水平方向で移動可能である、請求項２記載の輪転印刷機。
【請求項４】
５本胴式印刷ユニット（０１；０２）の水平方向移動が、前記対抗圧胴（１１）の回転軸線に対して垂直方向で行われるようになっている、請求項３記載の輪転印刷機。
【請求項５】
複数の５本胴式印刷ユニット（０１；０２）が互いに上下に配置されている、請求項１記載の輪転印刷機。
【請求項６】
胴対（０３；０６；０４；０７）が、Ｖ字形またはほぼＶ字形の配置構成からＷ字形またはほぼＷ字形の配置構成に移動可能に配置されている、請求項１記載の輪転印刷機。
【発明の詳細な説明】
【０００１】
本発明は、請求項１記載の上位概念に基づく５本胴式印刷ユニットを備えた輪転印刷機に関する。
【０００２】
スイス国特許４５９２６６号明細書によって５本胴式印刷ユニットが公知である。この印刷ユニットはそれぞれ版胴とゴムブランケット胴とから成る２つの胴対を備えている。ゴムブランケット胴は選択的に対抗圧胴に胴入れ可能である。これによって胴対および対抗圧胴の、Ｖ字形またはほぼＶ字形の配置構成が得られる。
【０００３】
さらにドイツ連邦共和国実用新案登録第１８２７８４５号明細書によって、５本胴式印刷ユニットにおいて、対抗圧胴を摺動可能または旋回可能に配置することが公知であって、これによって選択的に対抗圧胴が単数または複数のゴム胴と接触することができる。
【０００４】
ドイツ連邦共和国特許出願公開第４３０３９０４号明細書には、タワー構造の印刷ユニットが記載されている。この場合Ｖ字形またはＷ字形配置構成の５本胴式印刷機構が設けられている。
【０００５】
本発明の課題は、５本胴式印刷ユニットを備えた輪転印刷機を提供することである。
【０００６】
この課題は、本発明に基づいて、請求項１の特徴部に記載した構成手段を有する装置によって解決される。
【０００７】
特に本発明によって得られる利点によれば、標準型印刷機構モジュールたとえば５本胴式印刷ユニットから異なる多数の胴配置構成が得られ、これらの胴配置構成によって、多数の印刷機構配置構成とウェブガイドが得られる。このために対抗圧胴の位置が変化される。この場合ゴム胴はいつでも切換可能で、任意の形式で隣接するゴム胴もしくは対抗圧胴と組み合わせられる。このような切換は製造者側で一度限り行うことも、使用者側で頻繁に自由に行うこともできる。
【０００８】
２つの標準型印刷機構モジュールを用いて、以下のような印刷機構配置構成が得られる。つまり、縦向き構成または横向き構成の１０本胴式サテライト型印刷ユニット、９本胴式サテライト型印刷ユニット、たとえば複数のＨ型印刷ユニットを上下に重ねて形成されるいわゆるエイトタワー（Ａｃｈｔｅｒｔｕｒｍ）のためのＨ型印刷ユニット、および２つのＩ型印刷ユニットが得られる。
【０００９】
次に本発明の実施例を図示し、詳しく説明する。
【００１０】
各フレームまたはモジュール０１；０２に、回転可能でたとえば図示していない個々の駆動装置によって駆動可能な２つの版胴０３；０４が支承されている。各版胴０３；０４には、版胴０３；０４によって駆動可能な転写胴たとえばゴム胴０６；０７が対応配置されており、ゴム胴０６；０７は版胴０３；０４の周りを移動可能たとえば旋回可能である。この移動はたとえば円軌道０８；０９上で行われる。ゴム胴０６；０７が円軌道０８；０９上を移動する際に、両方のゴム胴０６；０７を、互いに接触状態にもたらすことが可能で（Ｉ型印刷ユニット、図４および図５）、しかもそれぞれ胴対０３；０６と胴対０４；０７との間に配置された対抗圧胴１１に対して胴入れすることもできる（図１）。有利には、たとえば版胴０３；０４が偏心的に支承されており、ゴム胴０６；０７が二重に偏心的に支承されている。
【００１１】
この場合対抗圧胴１１は、第２のモジュール０２に向いた側の第１の位置Ａに位置してよい（図１）。この位置Ａでは、版胴０３；０４の回転中心点１２；１３を通って延びるライン１４とライン１６が、対抗圧胴１１の回転中心点１７においてたとえば９０度の角度αで互いに交差している。胴０３；０６；１１；０７；０４はＶ字形に配置されている。
【００１２】
各モジュール０１；０２の対抗圧胴１１は、たとえば水平方向２４で延びる図示していないラインガイドによって第２の位置Ｂに移動することもできる。この位置Ｂは、たとえばゴム胴０６；０７の回転中心点１９；２１を結ぶ、仮想の垂直の接続ライン２２（図２および図４）の後方に位置している。胴０３；０６；１１；０７；０４はＷ字形に配置されている。
【００１３】
対抗圧胴１１が位置Ａから位置Ｂに、またはその逆で位置Ｂから位置Ａに移動する前に、ゴム胴０６；０７は円軌道０８；０９上を、対抗圧胴１１の直線移動または旋回移動が可能であるような位置に旋回される。この場合両方のゴム胴０６；０７の被覆面の間隔は対抗圧胴１１の直径よりも大きくなっている。
【００１４】
対抗圧胴１１は円軌道またはほぼＵ字形カーブ軌道上を案内されてもよい。環状のカーブ軌道は符号２６で示されている（図５）。
【００１５】
さらにゴム胴０６；０７を水平かつ垂直方向で移動可能に版胴０３；０４の周りに配置することもできる。
【００１６】
モジュール１における胴０３；０４；０６；０７の配置構成は、モジュール０２における前記胴０３；０４；０６；０７の鏡像的な配置構成に対応していて、これはモジュール０１とモジュール０２との間に位置する垂直なライン１８に対して鏡像的に対応している。このような理由に基づいて、同じ構成部材または同概念の部材には、同じ符号が選択される。
【００１７】
少なくとも第１のモジュール０１は第２のモジュール０２に対して摺動可能、つまりたとえば移動可能かつ係止可能に配置されている。
【００１８】
モジュール０１；０２が対を成して、相互間隔を有して、または互いに接触して配置されていることによって、胴０３；０４；０６；１１の以下の配置構成が得られる。
【００１９】
ａ．  横向き構造の１０本胴式サテライト型印刷ユニットとしての配置構成における、２つの５本胴式標準型印刷機構（図１）
ｂ．  縦向き構造の１０本胴式サテライト型印刷ユニットとしての配置構成における、ａに記載の印刷機構（図２）
ｃ．  ９本胴式サテライト型印刷ユニットとしての配置構成における、ａに記載の印刷機構（図３）、この場合モジュール２の、位置Ｂに位置する右側の対抗圧胴１１は機能を有していない。
【００２０】
ｄ．  Ｈ型印刷ユニットとしての配置構成における、ａに記載の印刷機構（図４）、この場合モジュール２の、位置Ｂに位置する対抗圧胴１１は機能を有していない。
【００２１】
ｅ．  Ｉ型印刷ユニットとしての配置構成における、ａに記載の印刷機構（図５）、この場合位置Ａに位置する対抗圧胴１１は機能を有していない。この配置構成では、各対抗圧胴１１がカーブ軌道２６上を旋回可能であると有利である。たとえばモジュール０１の対抗圧胴１１は位置Ｃに移動可能で、モジュール０２の対抗圧胴１１は位置Ｄに移動可能であり、これらの位置Ｃ，Ｄは図５において鎖線で示されている。したがってウェブは両方のＩ型印刷ユニットのゴム胴０６；０７を障害なく通過することができる。
【００２２】
前述のモジュール対０１；０２は互いに前後に配置しても互いに上下に配置してもよい。
【００２３】
各版胴０３；０４は公知であり、図示していないインキ装置と、場合によっては湿し装置とに対応配置されている。
【図面の簡単な説明】
【図１】横向き構造の１０本胴式サテライト型印刷ユニットとしての配置構成における、２つの５本胴式標準型印刷機構を示す図である。
【図２】縦向き構造の１０本胴式サテライト型印刷ユニットとしての配置構成における、図１に示した印刷機構を示す図である。
【図３】９本胴式サテライト型印刷ユニットとしての配置構成における、図１に示した印刷機構を示す図である。
【図４】Ｈ型印刷ユニットとしての配置構成における、図１に示した印刷機構を示す図である。
【図５】２つのＩ型印刷ユニットとしての配置構成における、図１に示した印刷機構を示す図である。
【符号の説明】
０１，０２  モジュール、  ０３，０４  版胴、  ０６，０７  ゴム胴、  ０８，０９  円軌道、  １１  対抗圧胴、  １２，１３  回転中心点、  １４，１６  ライン、  １７  回転中心点、  １８  ライン、  １９，２１  回転中心点、  ２１，２２  接続ライン、  ２４  水平方向、  ２６  カーブ軌道、  Ａ，Ｂ，Ｃ，Ｄ  位置、  α  角度
【図１】
0003634265.tif 000002
【図２】
0003634265.tif 000003
【図３】
0003634265.tif 000004
【図４】
0003634265.tif 000005
【図５】
0003634265.tif 000006